(57)【特許請求の範囲】
【請求項１】
机等に固定され水平面内で旋回自在なＦＤ支持アームの先端にＦＤ載置板の背板が俯仰可能に支持されたフラットディスプレイ載置装置において、ＦＤ載置板は、その背板の背後にキーボード受部材を取付け、前記背板とキーボード受部材との間にキーボードを載置格納し得るようにしたことを特徴とするフラットディスプレイ載置装置。
【請求項２】
前記キーボード受部材は、弾性を有する棒状材により下向き略コ字状に形成し、このキーボード受部材の左右の脚部を前記ＦＤ載置板の背部の支持孔に挿着して立設させるようになされている請求項１記載のフラットディスプレイ載置装置。
【請求項３】
前記キーボード受部材の上部を水平方向に屈曲し、その屈曲した範囲に棚板を取付け、この棚板上にマウス等の小物類を載置し得るようにした載置棚を有している請求項１または２記載のフラットディスプレイ載置装置。
【請求項４】
机等に固定され水平面内で旋回自在なＦＤ支持アームの先端にＦＤ載置板の背板が俯仰可能に支持されたフラットディスプレイ載置装置において、ＦＤ載置板は、その背板の背後に前ガードおよびキーボード受部材を取付け、前記前ガードとキーボード受部材との間にキーボードを載置格納し得るようにしたことを特徴とするフラットディスプレイ載置装置。
【請求項５】
前記キーボード受部材および前ガードは、弾性を有する棒状材により下向き略コ字状に形成し、このキーボード受部材および前ガードの左右の脚部を前記ＦＤ載置板の背部の支持孔に挿着して立設させるようになされている請求項４記載のフラットディスプレイ載置装置。
【請求項６】
前記前ガードまたはキーボード受部材の一方または双方の上部を水平方向に屈曲し、その屈曲した範囲に棚板を取付け、この棚板上にマウス等の小物類を載置し得るようにした載置棚を有している請求項４または５記載のフラットディスプレイ載置装置。
【発明の詳細な説明】
【０００１】
【発明の属する技術分野】
本発明はフラットタイプのディスプレイを載置して該ディスプレイをデスク上で使用するためのフラットディスプレイ載置装置に係り、特にキーボードの不使用時にこれを格納することができるフラットディスプレイ載置装置に関する。
【０００２】
【従来の技術】
近時、パーソナルコンピュータ（パソコン）等のＯＡ機器は、オフィスはもとより家庭においても多く使用されるようになっており、その普及にはめざましいものがある。
【０００３】
ところで上記のようなＯＡ機器のＣＲＴディスプレイは大きい奥行寸法を有するため机上で使用する場合にその机上面を大きく占有し、他の執務に著しく支障をきたしていた。
【０００４】
このようなことから近年では、ブラウン管使用のＣＲＴディスプレイに代り、大型でフラットな構造の液晶等の薄型ディスプレイ（以下フラットディスプレイと称し、明細書においてＦＤと略称する）が急速に普及している。
【０００５】
上記のＦＤは、従来机上に立てて置けるＦＤ用スタンドにＦＤを立てて載置し、見易い位置に置くようにして使用されている。
【０００６】
しかしこのようなスタンドでは、ＦＤを使用し易い位置に移動させるときＦＤを含むスタンドの重量が大きいためその移動が容易でない。
【０００７】
そこでＦＤを必要に応じて使用し易い位置に移動させることができるようにするため、図１３に示すように机１の後部にＦＤ支持アーム２を取付け、この支持アーム２の先端にＦＤ３を立てて置けるようにしたものが採用されるようになっている。
【０００８】
上記ＦＤ支持アーム２は、机１の天板１ａの後端縁に係合して固定し得る取付具４に支柱５が立設され、この支柱５の上部一側に第１の支持アーム６が水平方向に突設され、この支持アーム６の先端に縦軸部７を介して第２の支持アーム８が水平面内で回転自在に連結され、さらにこの支持アーム８の先端に図１４に示すような側面視略Ｌ字状を有するＦＤ載置板９の垂直な背板１０の背面の軸受部１１が横軸１２により俯仰自在に取付けられたもので、このＦＤ載置板９の水平方向前方に張出した載置部１３にＦＤ３を立てて載せるように構成されている。そして操作用のキーボード１４やマウスは机１上に置いて使用される。
【０００９】
したがってＦＤ載置板９は、前記支持アーム６，８の旋回により水平面内任意位置へ動かすことができ、仰角については前記横軸１２をゆるめて該横軸１２を中心に揺動させることにより最適な角度に設定することができる。
【００１０】
【発明が解決しようとする課題】
上記のＦＤ支持アーム２を使用することにより、ＦＤ３を使用しないときは邪魔にならない位置へ退避させておくことができるので、机上面の有効利用を果たすことができるが、キーボード１４やマウスは仮に机上の奥側へ移動させたとしても依然として大きなスペースを占有してしまい、他の業務に支障をきたすことが避けられなかった。
【００１１】
【課題を解決するための手段】
本発明は、キーボードの不使用時にキーボードやマウスをＦＤ支持アームにＦＤと共に格納しておけるようにし、机上面での他の業務の遂行に支障をきたすことがないようにすることを課題としてなされたものである。
【００１２】
上記課題を解決するための手段として本発明は、机等に固定され水平面内で旋回自在なＦＤ支持アームの先端にＦＤ載置板の背板が俯仰可能に支持されたフラットディスプレイ載置装置において、ＦＤ載置板は、その背板の背後にキーボード受部材を取付け、前記背板とキーボード受部材との間にキーボードを載置格納し得るようにしたことにある。
【００１３】
そして前記キーボード受部材を棒状材により下向き略コ字状に屈曲形成し、このキーボード受部材の左右の脚部をＦＤ載置板の背板の背面側に設けた支持孔に挿着するようにして、ＦＤ載置板の背板とキーボード受部材との間にキーボードを横向きとして立てた状態で載置格納するように構成することが好ましい。
【００１４】
机等に固定され水平面内で旋回自在なＦＤ支持アームの先端にＦＤ載置板の背板が俯仰可能に支持されたフラットディスプレイ載置装置において、ＦＤ載置板は、その背板の背後に前ガードおよびキーボード受部材を取付け、前記前ガードとキーボード受部材との間にキーボードを載置格納し得るようにすることによりキーボードを一層安定よく載置格納しておくことができる。
【００１５】
さらに前記キーボード受部材または前ガードを有するときはその上部を水平方向に屈曲し、その屈曲した範囲に棚板を取付けて載置棚とし、この載置棚上にマウス等の小物類を載置しておくこどができるようにすることにより一層テーブル面を広く使用することができる。
【００１６】
【発明の実施の形態】
以下、本発明を図面に示す実施の形態を参照し、図１３と共通する基本構成部分については同一符号を用いて説明する。
【００１７】
図１は本発明によるフラットディスプレイ載置装置の使用状態を示し、図２は同不使用状態時にキーボード１４を載置格納した状態の側面を示している。
【００１８】
ＦＤ支持アーム２は前述の従来技術と同様の構成によるものを示しており、机１の天板１ａの後端縁に係合して図示しないネジ等により固定し得る取付具４の上面に立設された支柱５と、この支柱５の上部一側に水平方向に突設された第１の支持アーム６と、この支持アーム６の先端に縦軸部７により旋回自在に連結された第２の支持アーム８とで構成され、この支持アーム８の先端の縦軸部１５により回転する軸受部１６がＦＤ載置板１７の背板１８の背面中央部に突設された軸受部１９に横軸２０により俯仰自在に取付けられ、図示しないネジ等により任意俯仰角位置で固定することができるようになっている。
【００１９】
上記ＦＤ載置板１７は、図２、図３に示す実施の形態では側面視略Ｌ字状をなし、その背板１８の背面に設けられる軸受部１９より上方の位置で上方部が前方に張出すようにクランク状に屈曲されて段部２１が形成され、この段部２１の下部の背板１８の前面側の左右両側端部には当該段部２１の奥行相当の厚みを有するよう略コ字状に屈曲形成された脚受部材２２，２２がその上下に張出すフランジ部２２ａ，２２ａで背板１８にスポット溶接（またはネジ，接着等）により固着され、前記段部２１および脚受部材２２，２２の上面部２２ｂ，２２ｂに支持孔２３，２３、２４，２４が同一軸線上に穿設されている。なお符号２５，２５、２５ａ，２５ａはＦＤ３を取付けるため背板１８の所定位置に穿設された取付孔である。
【００２０】
キーボード受部材２６は、弾性を有する金属杆（またはパイプ）により正面視において下向きコ字状に屈曲形成され、左右の脚部２７，２７はその中間で側面視クランク状に屈曲されてその水平部分がキーボード載置部２８，２８とされたもので、その左右の脚部２７，２７間の間隔は前記ＦＤ載置板１７の左右の支持孔２３，２３の間隔と等しくされているが、これら脚部２７，２７の下端間の間隔は上記支持孔２３，２３間の間隔より若干広く拡開する弾性を有しており、これら脚部２７，２７を左右の支持孔２３，２３および２４，２４に挿入したときその弾性により安定した状態が保持されるようになっている。
【００２１】
上記キーボード受部材２６の上端の横杆部２９の部分はキーボード１４を上方から出し入れしやすくするため若干後傾されている。
【００２２】
したがって上記キーボード受部材２６の左右の脚部２７，２７をＦＤ載置板１７の支持孔２３，２３および２４，２４に挿入すると、その下端は脚受部材２２，２２の下面部２２ｃ，２２ｃに当接して挿入深さが決められ、安定した状態に取付けられる（図５示）。
【００２３】
これによりＦＤ載置板１７の背板１８の背面とキーボード受部材２６のキーボード載置部２８より上方部との間には間隔ができ、この間隔内にキーボード１４を横向きとして立てて挿入すれば、キーボード１４はキーボード受部材２６のキーボード載置部２８，２８上に載置され、図２に示したようにＦＤ３の背後にキーボード１４を格納しておくことができる。
【００２４】
図６〜図１０は奥行幅の広いキーボード１４に対応することができるようにするため、キーボード受部材２６の他に図７に示すような前ガード３０を取付けることができるようにしたものである。
【００２５】
図６に示す実施形態では、ＦＤ載置板１７の背板１８の段部２１に片側２個ずつ支持孔３１，３２、３１，３２が穿設され、脚受部材２２，２２の上面部２２ｂ，２２ｂにもこの支持孔３１，３２と同軸線上に片側２個ずつの支持孔３３，３４、３３，３４が穿設されており、上記内側の左右の支持孔３２，３４および３２，３４には図７に示すように前述のキーボード受部材２６と同様な棒状材で逆Ｕ字形に屈曲形成されかつ拡開習性を有する前ガード３０の左右の脚部３５，３５が挿入され、外側の左右の支持孔３１，３３および３１，３３には前述のキーボード受部材２６の左右の脚部２７，２７が挿入されるようになっている。
【００２６】
したがってこのＦＤ載置板１７を用いれば、前記前ガード３０とキーボード受部材１７との間にキーボード１４を挿入してキーボード受部材１７のキーボード載置部２８，２８上に載置格納され、キーボード１４の前方への倒れは前ガード３０によって防がれる。これによればキーボード１４の奥行幅が広いものであってもこれを立てて安定よく格納しておくことができ、ＦＤ載置板１７の背板１８の高さを高くせずともよい。
【００２７】
図８〜図１０はキーボード１４の奥行幅を大小に応じて最適深さが得られるよう調整可能とした実施形態を示すもので、この実施形態におけるＦＤ載置板１７はその段部２１および脚受部材２２，２２の上面部２２ｂ，２２ｂの支持孔３６，３７および３８，３９がＦＤ載置板１７の幅方向に延びる長孔とされ、脚受部材２２，２２の下面部２２ｃ，２２ｃには円形の支持孔４０，４１が穿設されており、この円形の支持孔は上記長孔の支持孔３６，３７，３８，３９の各内端の軸線と一致した位置とされている。図９のようにキーボード受部材２６の脚部２７，２７を支持孔３６，３６および３８，３８に、前ガード３０の脚部３５，３５を支持孔３７，３７および３９，３９に挿入すれば、これらキーボード受部材２６および前ガード３０の脚部の拡開習性によりこれら脚部２４，２４，３５，３５は支持孔３６，３６，３８，３８の外端に位置し、その下端は脚受部材２２，２２の下面部２２ｃ，２２ｃの支持孔４０，４１には嵌合せず、その下面部２２ｃ，２２ｃ上で留まっておかれる。これによりキーボード受部材２６および前ガード３０の上方部がＦＤ載置板１７の背板１８の上方に大きく突出した状態になってキーボード受部材２６のキーボード載置部２８，２８の位置も高い位置におかれ、奥行幅の狭いキーボード１４を載置格納するに適する形態となる。
【００２８】
奥行幅の大きいキーボード１４を載置格納したいときは、キーボード受部材２６および前ガード３０の各脚部２７，２７，３５，３５を互いに引寄せるように撓ませれば、これら脚部の下端は図１０に示すように脚受部材２２，２２の下面部２２ｃ，２２ｃの支持孔４０，４０，４１，４１に整合して嵌入し、脚部２７，２７，３５，３５の下端はＦＤ載置板１７の上面に当接するまで下降することによりキーボード受部材２６のキーボード載置部２８の位置も下降し、これにより奥行幅の広いキーボード１４であっても安定よく載置格納することができる。
【００２９】
図１１（Ａ）〜（Ｃ）はオプションとして用意されるキーボード受部材および前ガードを例示するもので、図１１（Ａ）は前ガード３０の上部を手前側に水平に屈曲し、その屈曲した範囲に棚板４２ａを取付けてマウス等の載置棚４２とされたもので、図１２に例示するようにこの載置棚４２にマウス１４ａや事務用品等の小物類を置けるようにしたものである。
【００３０】
図１１（Ｂ）はキーボード受部材２６の上部を後方へ水平に屈曲し、その屈曲した範囲に棚板４３ａを取付けて、載置棚４３とされ、この棚４３に上記と同様にマウスや小物類を置けるようにしたものである。
【００３１】
さらに図１１（Ｃ）はキーボード受部材２６をコ字形に屈曲した上部枠４４と、左右の脚部４５，４５と、前記上部枠４４の下端と脚部４５，４５の上端後方に屈曲する端部との間におかれるＬ形状の中間枠４６，４６と、キーボード載置部４７，４７を前方に向け水平方向に屈曲して形成された左右一対の棚部材４８，４８とで構成され、前記上部枠４４と中間枠４６，４６、中間枠４６，４６と脚部４５，４５、上部枠４４と棚部材４８，４８とはいずれも接続チューブ４９，５０，５１を介して接続され、止ネジ５２，５３，５４により任意位置で固定することにより各部の長さ、高さを調節可能としたものである。
【００３２】
キーボード受部材２６や前ガード３０は上記例のほか必要に応じ種々の形態のものを用意することにより最も使用に適する形態のＦＤ載置装置とすることができる。またＦＤ支持アーム２は、机１の天板１ａに限らず、ＯＡ機器専用台であっても同様に使用することができる。さらにＦＤ支持アーム２の構成は一例を示したまでで、要すればＦＤ３を支持して旋回、俯仰し得るものであればよい。
【００３３】
【発明の効果】
以上説明したように本発明によれば、フラットディスプレイを載置する載置板にキーボードを載置格納することができるようにしたことにより、キーボードを使用しないとき執務に邪魔にならない箇所に格納しておくことができて机上面を広く使用することができ、ＯＡ機器の操作と一般事務作業との双方を一つの机により支障なく行うことができる。
【００３４】
またＦＤ載置板の背板の背後に前ガードおよびキーボード受部材を取付け、前記前ガードとキーボード受部材との間にキーボードを載置格納するようにすれば、ＦＤを横位置で立てて格納するとき一層安定よく納めることができる。
【００３５】
さらに前ガードまたはキーボード受部材の一方または双方の上部を水平方向に屈曲し、その屈曲した範囲に棚板を取付けて載置棚とし、この棚板上にマウス等の小物類を載置し得るようにすればテーブル上をさらに広く使用することができる。
【図面の簡単な説明】
【図１】フラットディスプレイの使用状態のイメージを示す斜視図。
【図２】本発明によるフラットディスプレイ載置装置の一実施形態を示し、キーボードを載置格納した状態を示す側面図。
【図３】図１におけるＦＤ載置板の斜視図。
【図４】図１におけるキーボード受部材の斜視図。
【図５】図３のＦＤ載置板に図４のキーボード受部材を取付けた状態を示す斜視図。
【図６】ＦＤ載置板の変形例を示す斜視図。
【図７】図６のＦＤ載置板に使用する前ガードの斜視図。
【図８】ＦＤ載置板の他の変形例を示す斜視図。
【図９】図８のＦＤ載置板にキーボード受部材および前ガードを奥行幅の小さいキーボード用として取付けた状態を示す斜視図。
【図１０】同、奥行幅の大きいキーボード用とした状態の斜視図。
【図１１】（Ａ）〜（Ｃ）は前ガードおよびキーボード受部材の変形例を示す斜視図。
【図１２】前ガードにマウス載置棚を設けた場合の使用状態を示す図２相当図。
【図１３】従来の技術を示す側面図。
【図１４】図１３におけるＦＤ載置板の斜視図。
【符号の説明】
１  机
２  ＦＤ支持アーム
３  ＦＤ（フラットディスプレイ）
５  支柱
９，１７  ＦＤ載置板
１４  キーボード
１８  背板
２１  段部
２２  脚受部材
２６  キーボード受部材
２７  脚部
２８  キーボード載置部
３０  前ガード
３５  脚部
４２，４３  マウス等の載置棚
４４  上部枠
４５  脚部
４６  中間枠
４７  キーボード載置部
４８  棚部材
４９，５０，５１  接続チューブ
【図１】
0003701427.tif 000002
【図２】
0003701427.tif 000003
【図３】
0003701427.tif 000004
【図４】
0003701427.tif 000005
【図５】
0003701427.tif 000006
【図６】
0003701427.tif 000007
【図７】
0003701427.tif 000008
【図８】
0003701427.tif 000009
【図９】
0003701427.tif 000010
【図１０】
0003701427.tif 000011
【図１１】
0003701427.tif 000012
【図１２】
0003701427.tif 000013
【図１３】
0003701427.tif 000014
【図１４】
0003701427.tif 000015